(57)【要約】【課題】洗い場側の床パンを暖めその温度を保持することができる暖房機能付き床パンを提供する。【解決手段】浴室に設置される床パン本体３と、床パン本体３の下面に設けられる暖房部２と、を備える暖房機能付き床パン１であって、暖房部２は、床パン本体３の下面に設けられ内部に上下方向に貫通する孔を有する環状をしたフレーム部２１と、フレーム部２１の下部に設けられる面板部２２と、フレーム部２１と床パン本体３と面板部２２とで密閉される内部空間２３と、フレーム部２１又は面板部２２に形成され内部空間２３に連通する温風吸気口２４と、フレーム部２１又は面板部２２に形成され温風吸気口２４から流入した温風が内部空間２３を循環して流出する温風流出口２５と、を備えることを特徴とする。【選択図】図１
2014091998.tif 000002
【特許請求の範囲】
【請求項１】
浴室に設置される床パン本体と、前記床パン本体の下面に設けられる暖房部と、を備える暖房機能付き床パンであって、
前記暖房部は、前記床パン本体の下面に設けられ内部に上下方向に貫通する孔を有する環状をしたフレーム部と、
前記フレーム部の下部に設けられる面板部と、
前記フレーム部と前記床パン本体と前記面板部とで密閉される内部空間と、
前記フレーム部又は前記面板部に形成され前記内部空間に連通する温風吸気口と、
前記フレーム部又は前記面板部に形成され前記温風吸気口から流入した温風が前記内部空間を循環して流出する温風流出口と、を備えることを特徴とする暖房機能付き床パン。
【請求項２】
前記内部空間の前記床パン本体と前記面板部との間に介在する補強リブと、
前記補強リブが前記内部空間を複数に仕切ることにより形成される房と、
前記補強リブにより仕切られる両側の前記房を連通し前記補強リブに設けられる連通口と、を備えることを特徴とする請求項１記載の暖房機能付き床パン。
【発明の詳細な説明】
【技術分野】
【０００１】
本発明は、床パンに関するものである。
【背景技術】
【０００２】
従来から、建物の躯体の床に設置される床パンが知られている（例えば特許文献１参照）。
【先行技術文献】
【特許文献】
【０００３】
【特許文献１】特開２０１１−２４５０２３号公報
【発明の概要】
【発明が解決しようとする課題】
【０００４】
ところで、特許文献１に記載されている発明は、浴槽に断熱材が取付けられ、浴槽の湯が保温されていた。しかし、洗い場側の床パンには断熱材等の洗い場側の床パンの温度が下がらないようにする手段が施されていなかった。そのため、冬場では床下を流れる冷気の影響を受け、洗い場側の床パンが冷たくなってしまい、床パンに足をつけると不快感を感じてしまっていた。
【０００５】
本発明は上記従来の問題点に鑑みて発明したものであって、その目的とするところは、洗い場側の床パンを暖めその温度を保持することができる暖房機能付き床パンを提供することを課題とするものである。
【課題を解決するための手段】
【０００６】
上記課題を解決するために、本発明は、以下のような構成とする。
【０００７】
浴室に設置される床パン本体と、前記床パン本体の下面に設けられる暖房部と、を備える暖房機能付き床パンであって、前記暖房部は、前記床パン本体の下面に設けられ内部に上下方向に貫通する孔を有する環状をしたフレーム部と、前記フレーム部の下部に設けられる面板部と、前記フレーム部と前記床パン本体と前記面板部とで密閉される内部空間と、前記フレーム部又は前記面板部に形成され前記内部空間に連通する温風吸気口と、前記フレーム部又は前記面板部に形成され前記温風吸気口から流入した温風が前記内部空間を循環して流出する温風流出口と、を備えることを特徴とする。
【０００８】
また、前記内部空間の前記床パン本体と前記面板部との間に介在する補強リブと、前記補強リブが前記内部空間を複数に仕切ることにより形成される房と、前記補強リブにより仕切られる両側の前記房を連通し前記補強リブに設けられる連通口と、を備えることが好ましい。
【発明の効果】
【０００９】
本発明の暖房機能付き床パンは、洗い場側の床パンを暖めその温度を保持することができる。
【図面の簡単な説明】
【００１０】
【図１】（ａ）は本発明の第一実施形態の床パン本体の斜視図であり、（ｂ）は本発明の第一実施形態の暖房機能付き床パンを裏面から視たときの分解斜視図である。
【図２】本発明の第一実施形態の真空断熱床パンの断面図である。
【図３】本発明の第二実施形態の暖房機能付き床パンを裏面から視たときの分解斜視図である。
【発明を実施するための形態】
【００１１】
以下、本発明の第一実施形態について図１に基いて説明する。
【００１２】
暖房機能付き床パン１は、床パン本体３と、床パン本体３の下面に設けられ、床パン本体３の下方から床パン本体３を加温する暖房部２と、で構成される。暖房部２は、フレーム部２１と、面板部２２と、を備えている。
【００１３】
床パン本体３は、洗い場側から浴槽側にかけて設けられていてもよく、また床パン本体３は洗い場側のみに設けられてもよい。床パン本体３は、本実施形態では平面視矩形状となっているが、形状はこれに限定されない。また、床パン本体３は合成樹脂で形成される。
【００１４】
フレーム部２１は、上下方向に貫通する孔を有する環状に形成されている。そして、フレーム部２１は所定の厚み（高さ）を有している。本実施形態では、フレーム部２１は平面視環状に形成されているが、フレーム部２１の形状は特に限定されない。フレーム部２１は合成樹脂で形成される。
【００１５】
本実施形態では、面板部２２の外郭は平面視でフレーム部２１の外郭と略同形状で形成されているが、面板部２２の形状は限定されない。また、面板部２２は合成樹脂で形成される。
【００１６】
暖房機能付き床パン１は、床パン本体３の下面にフレーム部２１が取付けられ、フレーム部２１の下部に面板部２２が取付けられている。床パン本体３とフレーム部２１とは溶着又は一体成形で形成されている。床パン本体３とフレーム部２１と面板部２２とが溶着又は一体成形されると、内部に密閉された空間である内部空間２３が形成される。
【００１７】
内部空間２３は、床パン本体３を暖める温風が供給される空間である。内部空間２３に温風を供給するために、フレーム部２１又は面板部２２に形成され内部空間２３に連通する温風吸気口２４が形成される。また、内部空間２３に供給された温風が、内部空間２３を循環した後外部へと流出するための温風流出口２５がフレーム部２１又は面板部２２に形成される。
【００１８】
温風吸気口２４と温風流出口２５は、近接する位置にあると、温風吸気口２４から供給される温風が内部空間２３を十分に循環することなく温風流出口２５から流出してしまう。そのため、図１に示すように温風吸気口２４と温風流出口２５は、離れた位置に設けられるのが好ましい。例えば、本実施形態に示すようにフレーム部２１のある一辺の両端部や、フレーム部２１の対角の位置に、温風吸気口２４と温風流出口２５が設けられる。
【００１９】
内部空間２３に流入させる温風は、温風発生装置（例えばヒートポンプで発生した熱をファンで送風する装置）を別途設けて発生させてもよいが、温風の発生の方法は特に限定されない。
【００２０】
排水口４１は、上面が開口した排水口箱状部４２の下面に設けられている。排水口箱状部４２は、床パン本体３の一部であり、本実施形態では、床パン本体３の縁部で長手方向略中央に設けられ、下方に突設されている。フレーム部２１の側壁部の一部は排水口箱状部４２の側面に沿ってフレーム部２１の内方へ凹んでいる。また、面板部２２も排水口箱状部４２の側面に沿って面板部２２の内方へ切り欠いている。
【００２１】
以上のような構成の暖房機能付き床パン１が設けられることにより、冬場で床下を流れる冷気が床パン本体３の温度を下げたとしても、床パン本体３を暖めその温度を保持することができる。
【００２２】
本実施形態では、床パン本体３と面板部２２との間に介在する補強リブ２６が存在し、補強リブ２６が内部空間２３を仕切ることにより、房２７が形成されている。なお、補強リブ２６は任意の構成であり、なくてもよいものである。また、両側の房２７を連通する連通口２６ａが設けられ、温風が全ての房２７に行き渡るようになる。本実施形態では、連通口２６ａは補強リブ２６の面板部２２側に切欠２６ｂとして設けられる。これは、床パン本体３とフレーム部２１と補強リブ２６とを一体成形する際、切欠２６ｂが補強リブ２６の床パン本体３側に設けられたのでは、金型に射出成形をし、成形品を金型から抜く際に成形品が金型から抜けなくなってしまう。そのため、切欠２６ｂが補強リブ２６の面板部２２側に設けられている。連通口２６ａは、補強リブ２６の長さを部分的に短くし、フレーム部２１との間に隙間を設け、その隙間を連通口２６ａとしてもよい。
【００２３】
以上のような構成の暖房機能付き床パン１が設けられることにより、床パン本体３を暖めることができその温度を保持することができる。また、補強リブ２６が設けられていることにより、床パン本体３が撓むのを防止するので、床パン本体３の剛性を向上させることができる。そして補強リブ２６に連通口２６ａが設けられることにより、補強リブ２６があったとしても、温風が内部空間２３を循環することができる。
【００２４】
次に、第二実施形態について図３に基づいて説明する。なお、本実施形態については図１に示す上記第一実施形態と大部分について同じであるため、同じ構成については同符号を付して説明を省略し、主に異なる部分について説明する。
【００２５】
本実施形態では、補強リブ２６に設けられている連通口２６ａを用いて内部空間２３内を流れる温風の流路を形成している。本実施形態では、その流路は、１つの房２７に対して１〜２個の連通口２６ａが設けられることにより、平面視波状の流路が形成されているが、流路の形状はこれに限定されない。
【００２６】
以上のような構成の暖房機能付き床パン１が設けられることにより、流路に沿って温風が流れることから、温風が内部空間２３の隅々まで行き渡り易くなり、床パン本体３の温度分布が均等になり易くなる。
【符号の説明】
【００２７】
１    暖房機能付き床パン
２    暖房部
２１  フレーム部
２２  面板部
２３  内部空間
２４  温風吸気口
２５  温風流出口
２６  補強リブ
２６ａ  連通口
２６ｂ  切欠
２７  房
３  床パン本体
４１  排水口
４２  排水口箱状部
【図１】
2014091998.tif 000003
【図２】
2014091998.tif 000004
【図３】
2014091998.tif 000005